(57)【要約】【課題】ユーザが、店舗が提供する特典を確実にできるようにして来店を促す等、ガソリンスタンド等の販促活動をより効率的にする。【解決手段】特典通知システムは、店舗端末と、特典通知サーバとを有する特典通知システムであって、店舗端末は、ユーザを識別する第１ユーザＩＤ、及び第１ユーザＩＤによって識別されるユーザと同一のユーザを識別し且つ第１ユーザＩＤと相違する第２ユーザＩＤを取得するユーザＩＤ取得部と、第２ユーザＩＤに関連付けられた特典ＩＤを取得する特典ＩＤ取得部と、特典ＩＤに関連付けられた特典に基づいて、売上金額を決定する売上金額決定部と、第１ユーザＩＤ信号、売上金額に応じた売上信号、及び第２ユーザＩＤを示す第２ユーザＩＤ信号を特典通知サーバに送信する端末送信部と、を有し、特典通知サーバは、売上金額に応じた特典を決定する特典決定部と、第１ユーザＩＤに関連付けられた通知先に決定された特典を通知する特典通知部と、を有する。【選択図】図１
2018124767.tif 000002
【特許請求の範囲】
【請求項１】
店舗端末と、特典通知サーバとを有する特典通知システムであって、
前記店舗端末は、
ユーザを識別する第１ユーザＩＤ、及び前記第１ユーザＩＤによって識別されるユーザと同一のユーザを識別し且つ前記第１ユーザＩＤと相違する第２ユーザＩＤを取得するユーザＩＤ取得部と、
前記第２ユーザＩＤに関連付けられた特典ＩＤを取得する特典ＩＤ取得部と、
前記特典ＩＤに関連付けられた特典に基づいて、売上金額を決定する売上金額決定部と、
前記第１ユーザＩＤ信号、前記売上金額に応じた売上信号、及び前記第２ユーザＩＤを示す第２ユーザＩＤ信号を前記特典通知サーバに送信する端末送信部と、を有し、
前記特典通知サーバは、
前記売上金額に応じた特典を決定する特典決定部と、
前記第１ユーザＩＤに関連付けられた通知先に前記決定された特典を通知する特典通知部と、
を有する、ことを特徴とする特典通知システム。
【請求項２】
前記店舗端末は、前記ユーザＩＤ取得部が前記第２ユーザＩＤを取得したことに応じて、前記特典の内容を示す画像を、前記第１ユーザＩＤによって識別されるユーザが視認可能な表示装置に出力する画像出力部を更に有する、請求項１に記載の特典通知システム。
【請求項３】
前記特典通知部は、電子メールを介して前記特典を通知する、請求項１又は２に記載の特典通知システム。
【請求項４】
店舗端末と、特典通知サーバとにより実行される特典通知方法であって、
店舗端末は、
ユーザを識別する第１ユーザＩＤ、及び前記第１ユーザＩＤによって識別されるユーザと同一のユーザを識別し且つ前記第１ユーザＩＤと相違する第２ユーザＩＤを取得し、
前記第２ユーザＩＤに関連付けられた特典ＩＤを取得し、
前記特典ＩＤに関連付けられた特典に基づいて、売上金額を決定し、
前記第１ユーザＩＤ信号、前記売上金額に応じた売上信号、及び前記第２ユーザＩＤを示す第２ユーザＩＤ信号を送信し、
前記第１ユーザＩＤ信号、前記売上信号、及び前記第２ユーザＩＤ信号を受信する特典通知サーバは、
前記売上金額に応じた特典を決定し、
前記第１ユーザＩＤに関連付けられた通知先に前記決定された特典を通知する、ことを含む、ことを特徴とする特典通知方法。
【請求項５】
ユーザを識別する第１ユーザＩＤ、前記第１ユーザＩＤによって識別されるユーザと同一のユーザを識別し且つ前記第１ユーザＩＤと相違する第２ユーザＩＤ、及び前記第２ユーザＩＤに関連付けられた特典ＩＤに関連付けられた特典に基づいて決定される前記ユーザの購買に応じた売上金額を示す売上信号を受信し、
前記売上金額に応じた特典を決定し、
前記第１ユーザＩＤに関連付けられた通知先に前記決定された特典を通知する、
処理をコンピュータに実行させる、ことを特徴とする特典通知制御プログラム。
【請求項６】
ユーザを識別する第１ユーザＩＤを示す第１ユーザＩＤ信号、及び前記第１ユーザＩＤによって識別されるユーザの購買に応じた売上金額を示す売上信号を送信する店舗端末と、
前記第１ユーザＩＤ信号及び前記売上信号を受信する特典通知サーバと、を有し、
前記特典通知サーバは、
前記売上金額に応じた特典を決定する特典決定部と、
前記第１ユーザＩＤに関連付けられた通知先に前記特典を通知する特典通知部と、
を有する、ことを特徴とする特典通知システム。
【発明の詳細な説明】
【技術分野】
【０００１】
本開示は、特典通知システム、特典通知制御プログラム及びその方法に関する。
【背景技術】
【０００２】
ガソリンスタンド等のサービスステーション（Service Station、ＳＳ）では、ガソリン、軽油等の商品購入や洗車サービス等の利用の販売価格に対して一定の割引をするクーポン券をユーザに渡すことが知られている。また、セルフ給油式のガソリンガソリンスタンドではクレジットカード決済や電子マネー決済等を利用した多様な支払方法が増えている。例えば、特許文献１には、ユーザデータ記録媒体に記録されたデータをＰＯＳ端末装置が読み取り、ユーザが購入商品の精算を行うＰＯＳシステムが示されている。
【先行技術文献】
【特許文献】
【０００３】
【特許文献１】特開２００５−３３２３０５号公報
【発明の概要】
【発明が解決しようとする課題】
【０００４】
しかし、ユーザがガソリンスタントを利用する際に、クーポン券を持参するのを忘れたり、渡されたクーポン券をレシートと共に捨ててしまったりして店舗が提供する特典を利用できないケースが発生する。
【０００５】
本発明は、ユーザが、店舗が提供する特典を確実にできるようにして来店を促す等、ガソリンスタンド等の販促活動をより効率的にすることを目的とする。
【課題を解決するための手段】
【０００６】
上記目的を達成するため、本発明に係る特典通知システムは、店舗端末と、特典通知サーバとを有する特典通知システムであって、店舗端末は、ユーザを識別する第１ユーザＩＤ、及び第１ユーザＩＤによって識別されるユーザと同一のユーザを識別し且つ第１ユーザＩＤと相違する第２ユーザＩＤを取得するユーザＩＤ取得部と、第２ユーザＩＤに関連付けられた特典ＩＤを取得する特典ＩＤ取得部と、特典ＩＤに関連付けられた特典に基づいて、売上金額を決定する売上金額決定部と、第１ユーザＩＤ信号、売上金額に応じた売上信号、及び第２ユーザＩＤを示す第２ユーザＩＤ信号を特典通知サーバに送信する端末送信部と、を有し、特典通知サーバは、売上金額に応じた特典を決定する特典決定部と、第１ユーザＩＤに関連付けられた通知先に決定された特典を通知する特典通知部と、を有する、ことを特徴とする。
【０００７】
更に、本発明に係る特典通知システムは、特典の内容を示す画像を、ユーザが視認可能な表示装置に出力することが好ましい。
【０００８】
更に、本発明に係る特典通知システムは、特典情報の通知は、電子メールを介して通知されることが好ましい。
【０００９】
本発明に係る特典通知方法は、店舗端末と、特典通知サーバとにより実行される特典通知方法であって、店舗端末は、ユーザを識別する第１ユーザＩＤ、及び第１ユーザＩＤによって識別されるユーザと同一のユーザを識別し且つ第１ユーザＩＤと相違する第２ユーザＩＤを取得し、第２ユーザＩＤに関連付けられた特典ＩＤを取得し、特典ＩＤに関連付けられた特典に基づいて、売上金額を決定し、第１ユーザＩＤ信号、売上金額に応じた売上信号、及び第２ユーザＩＤを示す第２ユーザＩＤ信号を送信し、第１ユーザＩＤ信号、売上信号、及び第２ユーザＩＤ信号を受信する特典通知サーバは、売上金額に応じた特典を決定し、第１ユーザＩＤに関連付けられた通知先に決定された特典を通知する、ことを含む、ことを特徴とする。
【００１０】
本発明に係る特典通知制御プログラムは、ユーザを識別する第１ユーザＩＤ、第１ユーザＩＤによって識別されるユーザと同一のユーザを識別し且つ第１ユーザＩＤと相違する第２ユーザＩＤ、及び第２ユーザＩＤに関連付けられた特典ＩＤに関連付けられた特典に基づいて決定されるユーザの購買に応じた売上金額を示す売上信号を受信し、売上金額に応じた特典を決定し、第１ユーザＩＤに関連付けられた通知先に特典を通知する、処理をコンピュータに実行させる、ことを特徴とする。
【００１１】
更に、本発明に係る特典通知システムは、ユーザを識別する第１ユーザＩＤを示す第１ユーザＩＤ信号、及び第１ユーザＩＤによって識別されるユーザの購買に応じた売上金額を示す売上信号を送信する店舗端末と、第１ユーザＩＤ信号及び売上信号を受信する特典通知サーバと、を有し、特典通知サーバは、売上金額に応じた特典を決定する特典決定部と、第１ユーザＩＤに関連付けられた通知先に特典を通知する特典通知部と、を有する、ことを特徴とする。
【発明の効果】
【００１２】
本実施形態によれば、利用者が特典付与を示すクーポン券等を提示しなくとも、特典が受けられ、利便性が増すとともに、販売側は、より効果的なプロモーション活動ができる。
【図面の簡単な説明】
【００１３】
【図１】本発明に係る特典通知システムの概略構成の一例を示す図である。
【図２】第１実施形態に係る特典通知システムの概略構成の一例を示す図である。
【図３】図２に示す電子パスの概略構成の一例を示す図である。
【図４】図２に示す給油装置の概略構成の一例を示す図である。
【図５】図２に示す店舗端末の概略構成の一例を示す図である。
【図６】各種テーブルのデータ構造の一例を示す図である。
【図７】各種テーブルのデータ構造の一例を示す図である。
【図８】各種テーブルのデータ構造の一例を示す図である。
【図９】図２に示す特典照会サーバの概略構成の一例を示す図である。
【図１０】各種テーブルのデータ構造の一例を示す図である。
【図１１】図２に示す決済サーバの概略構成の一例を示す図である。
【図１２】図２に示す特典通知サーバの概略構成の一例を示す図である。
【図１３】各種テーブルのデータ構造の一例を示す図である。
【図１４】ユーザに送信される電子メールコンテンツの一例を示す図である。
【図１５】図２に示す特典通知システムの動作シーケンスの一例を示す図である。
【図１６】第１実施形態に係る特典通知システムの第１変形例を示す図である。
【図１７】図１６に示す電子パスの一例を示す図である。
【図１８】図１６に示す特典通知システムの動作シーケンスの一例を示す図である。
【図１９】第１実施形態に係る特典通知システムの第２変形例を示す図である。
【図２０】図１９に示す特典通知システムの給油装置の一例を示す図である。
【図２１】図１９に示す特典通知システムの動作シーケンスの一例を示す図である。
【図２２】特典通知システムの動作フローの一例を示すフローチャート図である。
【図２３】特典通知システムの動作フローの一例を示すフローチャート図である。
【図２４】第２実施形態に係る特典通知システムの概略構成の一例を示す図である。
【図２５】図２４に示す特典通知システムの電子パスの一例を示す図である。
【図２６】図２４に示す特典通知システムの特典通知サーバの一例を示す図である。
【図２７】図２４に示す特典通知システムの動作シーケンスの一例を示す図である。
【発明を実施するための形態】
【００１４】
以下、本開示の一側面に係るシステム、制御方法、及び制御プログラムについて図を参照しつつ説明する。但し、本開示の技術的範囲はそれらの実施の形態に限定されず、特許請求の範囲に記載された発明とその均等物に及ぶ点に留意されたい。尚、以下の説明及び図において、同一の機能構成を有する構成要素については、同一の符号を付することにより重複説明を省略する。
【００１５】
（本発明に係る特典システムの概要）
図１は、第１実施形態に係る特典通知システム１を一例として、本発明に係る特典通知システムの概要を説明する図である。
【００１６】
特典通知システム１によるサービスが提供されるユーザは、ガソリンスタンドの店頭で、会員登録を行う（Ｐ１）。このとき、近距離無線通信（Near Field Communication、ＮＦＣ）可能な電子パス２がユーザに提供される。電子パス２には、特典通知システム１からサービスが提供されるユーザを識別するタグＩＤと、購入した商品及び提供されるサービスに対する対価を電子決済で支払うユーザを識別する電子決済ＩＤが記録されている。電子決済は、クレジット決済、ポストペイ式電子マネー、及びプリペイド式電子マネー等を含む。また、会員登録のときにユーザから提供されたユーザの氏名等の会員情報は、店舗端末４等から特典通知サーバに送られ顧客データベースに登録される。会員登録は、ウェブサイトを介してユーザ自身が顧客データベースに登録してもよい。電子パス２は、郵送や指定したガソリンスタンドにてユーザに提供される。
【００１７】
次に、会員となったユーザは、ガソリンスタンドに設置してある給油装置３で給油するとき、給油装置３が有する非接触リーダ／ライタ３１に電子パス２をかざす。電子パス２内に記憶された情報が非接触リーダ／ライタ３１によって読み取られ、店舗端末４に送られる。非接触リーダ／ライタ３１によって読み取られる情報は、タグＩＤ及び電子決済ＩＤを含む。店舗端末４は、取得したタグＩＤ及び電子決済ＩＤの少なくとも一方を特典照会サーバ５に送り、特典照会サーバ５からユーザに付与されている特典を取得する（Ｐ２）。ユーザに付与されている特典は、ユーザが給油するガソリンの単価の割引等である。店舗端末４は、ユーザに付与されている特典を適用して購入金額の割引をする（Ｐ３）。店舗端末４は、割引後の売上金額と適用した特典を特典通知サーバ７に送る。
【００１８】
特典通知サーバ７は、顧客データベースに記憶されるタグＩＤと、送られてきたタグＩＤ及び割引後の売上金額とを使用して購買データベースのユーザの購買履歴情報を更新する。更に、更新されたユーザの購買履歴をもとに、新たな特典を付与する（Ｐ５）。ユーザの購入履歴をもとに特典を付与するので、個別のユーザに対してきめの細かい特典付与をすることができる。また、付与された特典は、電子メールによりユーザの情報通信端末に送られ、ユーザのガソリンスタンド利用を促す。電子メールに代えて、又は、電子メールとともに、本特典通知システム専用アプリケーションがインストールされているユーザの情報通信端末に特典通知を送ってもよい。
【００１９】
以上のように、ユーザは、ガソリンを給油するとき、直ちに割引に適用が受けられ、更に、個別のユーザに適した特典が付与され、付与された特典がユーザに通知される。この結果、ユーザのガソリンスタンド来訪が促され、個別ユーザへのきめの細かい販売促進活動となる。
【００２０】
（第１実施形態に係る特典通知システムによる処理の概要）
第１実施形態に係る特典通知システム１は、ユーザが、ガソリンスタンドにて給油したり洗車したときの対価を、ポストペイ式電子マネーにより支払った場合に対応している。
【００２１】
ポストペイ式電子マネーとは、クレジットカードと連携した電子マネーであり、クレジット会社から利用代金が後でまとまって請求される。したがって、プリペイド式電子マネーのような事前のチャージ（入金）は不要である。
【００２２】
（第１実施形態に係る特典通知システムの概略構成）
図２は、第１実施形態に係る特典通知システムの概略構成の一例を示す図である。
【００２３】
本実施形態に係る特典通知システム１は、ガソリンスタンドで商品又はサービスをポストペイ式電子マネーで購入するユーザに、既に付与されている特典を利用して購入代金を割引くとともに、新たな特典を付与し、付与された特典を通知する。ガソリンスタンドを利用するユーザは、近距離無線通信を介してポストペイ式電子マネーでの支払いをするための携帯型の電子パス２を所持している。ガソリンスタンドには、ユーザが所持する電子パス２との近接無線通信（ＮＦＣ）インターフェースを有する非接触型カードリーダ／ライタ３１を内蔵する給油装置３が設置されている。通常、給油装置はユーザ自身で給油するセルフ給油式の給油装置である。給油装置３は、無線又は有線の第１通信ネットワーク９を介して、ガソリンスタンドの店内に設置される店舗端末４に接続されている。特典通知システム１は、特典照会サーバ５と、決済サーバ６と、特典通知サーバ７とを更に有する。店舗端末４、特典照会サーバ５、決済サーバ６及び特典通知サーバ７は、インターネット８等の第２通信ネットワークを介して相互に接続される。特典通知システム１は、ユーザが商品を購入又はサービスが提供された購入金額に対して直ちに特典を適用するので、ユーザの利便性が向上する。また、特典通知システム１は、店舗でのユーザの購入実績を分析して、新たに付与された特典を通知することで、ユーザごとのきめの細かいサービスを提供する。したがって、特典付与通知を受けたユーザの店舗利用頻度と購入金額が向上し、効率の良い販売促進活動が可能となる。
【００２４】
（電子パスの概略構成）
図３は、ユーザが所持する電子パス２の概略構成の一例を示す図である。
【００２５】
ユーザが所持する電子パス２の形状は、小型のスティック（棒）形状であり、自動車のキーとともにキーフォルダーにつけることができ、自動車を運転するユーザが給油時に常に携行していることが保証される。また、電子パス２は、スティック形状でなく、通常のクレジットカード形状を有してよく、スマートフォン等に内蔵された形態であってもよい。電子パス２の機能が、スマートフォンに内蔵されている場合は、後述する特典付与を通知する電子メールにより特典を確認でき、電子メールに割引クーポンのＵＲＬが記載されていれば、ＱＲコード（登録商標）表示によるクーポン利用が可能となる。また、通常のクレジットカード形状や、スマートフォン等に内蔵されていてもよい。
【００２６】
ユーザが所持するポストペイ式の電子パス２は、ユーザがポストペイ式電子マネーで支払うための電子決済ＩＤ等を記憶しており、近距離無線通信を介して非接触型リーダ／ライタ３１と送受信が可能である。電子パス２は、給油装置３の非接触型リーダ／ライタ３１と送受信する電子パス・インターフェース部２１と、電子パス・インターフェース部２１に接続される電子パス制御部２２とを有する。更に、電子パス２は、電子パス制御部２２に接続されている電子パス記憶部２３を有する。電子パス制御部２２は、電子パス・インターフェース部２１と電子パス記憶部２３を制御する演算装置であり、例えば、マイクロプロセッサ（ＭＰＵ）である。電子パス記憶部２３は、半導体メモリである。電子パス記憶部２３は、電子パス制御部２２で実行されるプログラムと、タグＩＤ２３１と、電子決済ＩＤ２３２とを記憶する。更に、電子パス記憶部２３は、購入履歴情報２３３を記憶してもよい。
【００２７】
電子パス２に対して、特典通知システム１からサービスが提供されるユーザを識別するタグＩＤが付与され、電子パス記憶部２３に記憶されている。特典通知システム１を提供する会社、例えば、石油元売り会社は、ガソリンスタンドで商品又はサービスを購入するユーザを対象に、本特典通知システム１への会員登録を行い、特典通知システム１によるサービスを提供する。会員となったユーザにタグＩＤを記録した電子パス２を提供し、タグＩＤは、特典通知システム１の会員管理のための情報項目の一つとなる。
【００２８】
更に、購入した商品及び提供されるサービスに対する対価を電子決済で支払うユーザを識別する電子決済ＩＤが、電子パス記憶部２３に記憶されている。ユーザが所持する電子パス２が対応する、ポストペイ式電子マネー決済としては、Ｑｕｉｃ  Ｐａｙ（ＱＰ）等様々のタイプがある。
【００２９】
（給油装置の構成）
図４は、給油装置３の概略構成の一例を説明する図である。
【００３０】
給油装置３は、ガソリンスタンドの敷地内に設置され、ユーザが給油から決済までの処理をユーザ自身で行う屋外に設置されたセルフ給油式の給油装置である。給油装置３は、ユーザが所持する電子パス２と通信する非接触型リーダ／ライタ３１を有する。更に、給油装置３は、給油部３２と、ユーザの操作を促す表示と精算結果の表示をする表示部３３と、ユーザの入力を受ける入力部３４と、レシート等を発行する出力部３５を有する。表示部３３は入力部３４を兼用するタッチパネルディスプレイタイプでもよい。また、給油装置３は、店舗端末４と送受信する通信部３６と、給油装置記憶部３７と、給油装置処理部３８とを有する。通常、給油装置３の各部の制御は、ＣＰＵを有する給油装置処理部３８と、後述の店舗端末４の店舗端末処理部４４との連携により行われる。
【００３１】
ここで、給油装置３に内蔵される非接触型リーダ／ライタ３１は、近距離無線通信（ＮＦＣ）を介して、電子パス２に記憶された情報を読み取る処理、及び精算情報を書き込む処理を実行する機能を有する。精算情報は、給油したガソリンスタンドの店舗ＩＤのような利用情報を含んでもよい。また、利用情報だけを書き込んでもよい。非接触型リーダ／ライタ３１は、ＲＷインターフェース部３１１と、ＲＷインターフェース部３１１に接続されたＲＷ制御部３１２と、ＲＷ記憶部３１３を有する。ＲＷ制御部３１２は、ＲＷインターフェース部３１１及びＲＷ記憶部３１３を制御する演算装置であり、例えば、マイクロプロセッサ（ＭＰＵ）である。ＲＷ記憶部３１３は、半導体メモリである。ＲＷ記憶部３１３は、ＲＷ制御部３１２で実行されるプログラムと、データ等を記憶する。電子パス・インターフェース部２１及びＲＷインターフェース部３１１は、近接無線通信を介して接続される。電子パス・インターフェース部２１とＲＷインターフェース部３１１とが接続されることより、電子パス２内の情報が給油装置３の非接触型リーダ／ライタ３１のＲＷ制御部３１２に供給される。また、給油装置３の非接触型リーダ／ライタ３１から情報が電子パス２に供給される。このように給油装置３の非接触型リーダ／ライタ３１は、電子パス２の情報を読み取ると共に、電子パス２に情報を書き込む。ユーザが、電子パス２を給油装置３の非接触型リーダ／ライタ３１の近傍にかざすと、ＲＷインターフェース部３１１は、電子パス２が近接したことを検知する。ＲＷインターフェース部３１１が、電子パス２の近接を検知すると、電子パス・インターフェース部２１との接続が確立して相互通信が可能になる。
【００３２】
電子パス・インターフェース部２１とＲＷインターフェース部３１１の間の接続に使用される近距離無線通信には、ＲＦＩＤ、ＦｅｌｉＣａ（登録商標）、ＩＳＯ／ＩＥＣ  １４４４３（ＭＩＦＡＲＥ）、ＩＳＯ／ＥＣ  １８０９２（ＮＦＣ）等がある。非接触型リーダ／ライタ３１は１つ又は複数の通信方式に対応することができる。したがって、非接触型リーダ／ライタ３１は、種々の近距離無線方式の電子パス２と送受信が可能となる。
【００３３】
非接触型リーダ／ライタ３１は、給油装置３の外部近傍に設けられていてもよい。
【００３４】
給油装置３の通信部３６は、給油装置３と店舗端末４とを有線／無線通信接続するための通信インターフェース回路を有する。
【００３５】
給油装置記憶部３７は、例えば、半導体メモリ、磁気ディスク装置及び光ディスク装置の内の少なくとも一つを有する。給油装置記憶部３７は、給油装置処理部３８による処理に用いられるドライバプログラム、オペレーティングシステムプログラム、アプリケーションプログラム、データ等を記憶する。例えば、給油装置記憶部３７は、ドライバプログラムとして、給油装置３の通信部３６を制御する通信デバイスドライバプログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いて給油装置記憶部３７にインストールされてもよい。また、プログラムサーバ等からダウンロードしてインストールしてもよい。
【００３６】
給油装置処理部３８は、一又は複数個のプロセッサ及びその周辺回路を備える。給油装置処理部３８は、給油装置３の全体的な動作を統括的に制御するものであり、例えば、ＣＰＵである。給油装置処理部３８は、給油装置３の各種処理が給油装置記憶部３７に記憶されているプログラム等に基づいて適切な手順で実行されるように、給油装置３の通信部３６等の動作を制御する。給油装置処理部３８は、給油装置記憶部３７に記憶されているオペレーティングシステムプログラムやドライバプログラム、アプリケーションプログラム等のプログラムに基づいて処理を実行する。また、給油装置処理部３８は、アプリケーションプログラム等の複数のプログラムを並列に実行することができる。
【００３７】
給油装置処理部３８は、電子パス処理部３８１と、給油処理部３８２と、表示処理部３８３と、入力処理部３８４と、出力処理部３８５とを有する。給油装置処理部３８が有するこれらの各部は、給油装置処理部３８が有するプロセッサ上で実行されるプログラムによって実装される機能モジュールである。あるいは、給油装置処理部３８が有するこれらの各部は、独立した集積回路、マイクロプロセッサ、又はファームウェアとして店舗端末４に実装されてもよい。
【００３８】
電子パス処理部３８１は、非接触型リーダ／ライタ３１を介してユーザが提示した電子パス２から、購入した商品等に対する対価を電子決済で支払うユーザを識別する情報を取得して、店舗端末４に送る。また、店舗端末４からの精算情報を電子パス２に書き込むことも可能である。給油処理部３８２は、ユーザの自動車への給油のため給油部３２を制御し、販売油量を計測し、店舗端末４に伝える。表示処理部３８３は、ユーザに油種の選択や購入油量の指定を促すメニュー画面を表示部３３に表示する処理を行う。入力処理部３８４は、ユーザが油種の指定や購入油量について入力部に入力した情報を店舗端末４に伝える。出力処理部３８５は、店舗端末４からに指示に基づき、出力部３５からのレシート発行等を制御する。給油装置処理部３８が有するこれらの各部は、通常、店舗端末処理部４４との連携により動作する。
【００３９】
（店舗端末の概略構成）
図５は、店舗端末４の構成の概略構成の一例を示す図である。
【００４０】
店舗端末４は、ガソリンスタンドの店舗内に設置されていて、店舗端末第１通信部４１と、店舗端末第２通信部４２と、店舗端末記憶部４３と、店舗端末処理部４４とを有する。
【００４１】
ユーザが給油装置３から自動車に給油をするとき、店舗端末４は、給油装置３の非接触型リーダ／ライタ３１を介して、ユーザが提示する電子パス２からタグＩＤ及び電子決済ＩＤを取得する。店舗端末４は、取得したタグＩＤ及び電子決済ＩＤと、店舗端末４に記憶された店舗を示す店舗ＩＤとを特典照会サーバ５にインターネット８を介して送信する。これに応答して特典照会サーバ５は、ポストペイ式電子マネーの信用状態と、照会のあった店舗で使用できる特典を示す特典ＩＤとを店舗端末４に送信する。店舗端末４は、給油装置３からユーザへの販売油種（ガソリン、ハイオク、軽油等）と販売量を取得し、請求金額を計算する。このとき、店舗端末４は、特典照会サーバ５から取得した特典ＩＤを使用して、請求金額から割引をして請求金額の計算を行い、給油装置３の表示部３３に割引後の請求金額を含む支払完了メッセージを表示する。店舗端末４は、精算処理結果を購入履歴として、給油装置３の非接触型リーダ／ライタ３１を介して、電子パス記憶部２３に書き込んでもよい。購入履歴は、販売油種、販売量、単価、特典ＩＤ、及び店舗を示す店舗ＩＤ等を含んでもよい。蓄積された購入履歴は、ユーザへの更なるサービスに利用することができる。精算が完了すると、店舗端末４は、特典ＩＤ、割引後の売上情報、店舗ＩＤ、電子決済ＩＤ及び店舗ＩＤを、インターネット８を介して決済サーバ６に送信する。以上のような機能を実現するために、店舗端末４は、店舗端末第１通信部４１と、店舗端末第２通信部４２、店舗端末記憶部４３と、店舗端末処理部４４とを備える。
【００４２】
店舗端末第１通信部４１は、店舗端末４と給油装置３との間を有線／無線通信接続するための通信インターフェース回路を有する。店舗端末第２通信部４２は、店舗端末４をインターネット８に接続するための通信インターフェース回路を有する。店舗端末第２通信部４２は、店舗端末４と各サーバとの送受信を行う。
【００４３】
店舗端末記憶部４３は、例えば、半導体メモリ、磁気ディスク装置及び光ディスク装置の内の少なくとも一つを有する。店舗端末記憶部４３は、店舗端末処理部４４による処理に用いられるドライバプログラム、オペレーティングシステムプログラム、アプリケーションプログラム、データ等を記憶する。例えば、店舗端末記憶部４３は、ドライバプログラムとして、店舗端末第１通信部４１や店舗端末第２通信部４２を制御する通信デバイスドライバプログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いて店舗端末記憶部４３にインストールされてもよい。また、プログラムサーバ等からダウンロードしてインストールしてもよい。
【００４４】
更に、店舗端末記憶部４３は、データとして、店舗ＩＤ４３１，商品及びサービス名称テーブル４３２、商品及びサービス価格テーブル４３３、特典変換テーブル４３４を記憶する。
【００４５】
店舗ＩＤ４３１は、ガソリンスタンドを識別するＩＤであり、特典通知システム１は、特典通知システム１を利用してガソリンスタンドごとにユーザに付与する特典を調整することができる。例えば、ユーザが日頃よく利用するガソリンスタンドでは割引率の高い特典を付与できる。また、ユーザへの特典通知の際に、特典が利用できる店舗の近隣のコンビニエンス・ストア等とタイアップした広告メッセージを追加してもよい。商品及びサービス名称テーブル４３２は、商品及びサービスを示すコードと、商品及びサービス名称とを組み合わせたテーブルである。給油装置３の表示部３３への表示やレシート発行のときに、商品及びサービスコードに対応した商品及びサービス名称を表示するのに使用される。商品及びサービス価格テーブル４３３は、ガソリンスタンドが商品及びサービスに対する価格を定義する。特典変換テーブル４３４は、特典照会サーバ５から送信される特典を示す特典ＩＤの内容を定義するデーブルである。
【００４６】
店舗端末記憶部４３は、給油装置３の表示部３３に表示されるメニュー４３５等を記憶する。
【００４７】
更に、店舗端末４は、給油装置３からのユーザの購入希望情報を取得したとき、給油装置３の表示部３３に、購入希望油種等に対応した給油装置の操作方法や支払方法を説明する静止画又は動画を送出してもよい。このため、店舗端末記憶部４３は、例えば、給油装置の操作方法や支払方法等を説明した動画４３６を記憶し、その動画は画像出力部４４８から給油装置３の表示部３３に送出される。
【００４８】
また、店舗端末４は、給油装置３の表示部３３に、ユーザに付与されている特典に対応するプロモーション画像又はプロモーションビデオを表示させてもよい。プロモーションビデオ等をユーザに見せることにより、「また、ここに来よう」とか、「来週は洗車しよう」等のユーザの店舗利用の意欲を高めることができる。
【００４９】
本実施形態でいうテーブルとはデータベースの形式の一例であり、データが店舗端末内にプールしているような形式であってもよい。
【００５０】
店舗端末処理部４４は、一又は複数個のプロセッサ及びその周辺回路を備える。店舗端末処理部４４は、店舗端末４の全体的な動作を統括的に制御するものであり、例えば、ＣＰＵである。店舗端末処理部４４は、店舗端末４の各種処理が店舗端末記憶部４３に記憶されているプログラム等に基づいて適切な手順で実行されるように、店舗端末第１通信部４１等の動作を制御する。店舗端末処理部４４は、店舗端末記憶部４３に記憶されているオペレーティングシステムプログラムやドライバプログラム、アプリケーションプログラム等のプログラムに基づいて処理を実行する。また、店舗端末処理部４４は、アプリケーションプログラム等の複数のプログラムを並列に実行することができる。
【００５１】
店舗端末処理部４４は、ユーザＩＤ取得部４４１と、特典ＩＤ取得部４４２と、購入情報取得部４４３と、売上金額決定部４４４と、精算処理部４４５と、端末送信部４４６とを有する。更に、店舗端末処理部４４は、履歴書込処理部４４７、又は、画像出力部４４８を有してもよい。店舗端末処理部４４が有するこれらの各部は、店舗端末処理部４４が有するプロセッサ上で実行されるプログラムによって実装される機能モジュールである。あるいは、店舗端末処理部４４が有するこれらの各部は、独立した集積回路、マイクロプロセッサ、又はファームウェアとして店舗端末４に実装されてもよい。
【００５２】
ユーザＩＤ取得部４４１は、非接触リーダ／ライタ３１を介して、ガソリンスタンドに来店したユーザが所持する電子パス２から、タグＩＤ、及び電子決済ＩＤを取得する。特典ＩＤ取得部４４２は、取得したタグＩＤ、電子決済ＩＤ及び店舗を示す店舗ＩＤを、特典照会サーバ５に送信して、店舗で適用可能な特典ＩＤを照会し、適用される特典ＩＤを取得する。購入情報取得部４４３は、給油装置３から販売した油種、油量等を取得する。売上金額決定部４４４は、取得した油種、油量に対する金額を計算し、更に適用される特典に基づき、割引計算をする。精算処理部４４５は、精算結果を、給油装置３の表示部３３に表示し、精算が終了したことをユーザに伝える。また、精算処理部４４５は、給油装置３の出力部３５からレシートを発行してもよい。端末送信部４４６は、店舗ＩＤ、特典ＩＤ、割引後の売上情報、タグＩＤ及び電子決済ＩＤを、インターネット８を介して決済サーバ６に送信する。履歴書込処理部４４７は、精算処理結果を購入履歴として、給油装置３の非接触型リーダ／ライタ３１を介して、電子パス記憶部２３に書き込む。画像出力部４４８は、給油装置３のタッチパネルディスプレイ等の表示部３３に、ユーザに付与されている特典に対応するプロモーションビデオを表示させる。
【００５３】
図６は、店舗端末４で利用される各種テーブルのデータ構造の一例を示す図である。図６（ａ）は商品及びサービス名称テーブル概略構成の一例を示す。商品及びサービス名称テーブルは、ガソリンスタンドで販売される様々な商品及びサービスの名称と、商品及びサービスのそれぞれを示す商品コードと、サービスコードとを関連付けて記憶する。例えばコード「Ａ０１」はハイオクガソリンに関連付けられ、コード「Ａ０２」はレギュラーガソリン、コード「Ｓ０１」はワックス洗車、コード「Ｓ０２」は手洗い洗車を表す。図６（ｂ）は商品及びサービス価格テーブルの概略構成の一例であり、商品及びサービスコードに対し１リットル当たりの単価や１回のサービス価格を示している。この価格テーブルは、店舗端末４からの指示に基づいて更新可能であり、あるいは、石油元売り会社等から更新される。
【００５４】
図７はメニュー情報テーブルの概略構成の一例であり、給油装置３の表示部３３に表示されるメニューを示している。（ａ）はユーザに油種選択を促すメニュー画像であり、（ｂ）は給油して精算した後のメニュー画像である。通常、これらのメニューはハイパーテキスト・マークアップ・ランゲージ（ＨＴＭＬ）により、スクリプトと、埋め込み画像と、更には、タッチパネルディスプレイでユーザが操作可能なようなインターフェースタグ等を使用して表される。
【００５５】
図８は、店舗端末４で利用される、特典変換テーブル４３４の概略構成の一例を示す図である。店舗端末４のユーザＩＤ取得部４４１は、ユーザが所持する電子パス２からタグＩＤと電子決済ＩＤを取得して、店舗端末４の特典ＩＤ取得部４４２は、後述の特典照会サーバ５に送る。特典照会サーバ５からユーザに付与されている店舗で使用可能な特典を示す特典ＩＤと、タグＩＤの信用情報（有効か無効か）が応答として送信される。一方、給油装置からは販売油種と販売量が送られてくる。タグＩＤの信用が有効として肯定されるときは、店舗端末４の売上金額決定部４４４はこの特典ＩＤに対応して商品及びサービスの販売価格を割り引く。この処理に商品及びサービス価格テーブル４３３、特典変換テーブル４３４が必要となる。まず、各特典ＩＤに対して、適用される商品を示すＩＤ又は適用されるサービスを示すサービスＩＤが規定されている。本実施例では、特典ＩＤであるＰＡ０１の適用商品ＩＤとしてハイオクガソリンを示すＡ０１とレキュラーガソリンを示すＡ０２が対応している。さらに割引率として、ハイオクガソリン（Ａ０１）, レキュラーガソリン（Ａ０２）は、ともに１％引き、３０リットルを超えると３％引き等のように購入量により割引率を変えることもできる。また、特典は、割引率でなく、ガソリン１リットルにつき１円引き等のように定義してもよい。更に、特典を示す特典ＩＤに対応する、プロモーション用ビデオコンテンツを示すビデオＩＤが登録されていてもよい。ビデオＩＤは、特典ＩＤに関連する特典構成コードに対応するものでもよい。特典構成コードは、石油元売り会社等が行う販売施策、例えば、「入会御礼と春の感謝祭」のようなキャンペーンを示すものである。異なる販売施策であっても、特典内容が同じ（同じ商品を同じ金額で値引く等）であれば、同じ特典ＩＤが使用される場合がある。この際に、どの販売施策が使われたかを把握するために。特典ＩＤに、特典が付与された理由を示す特典構成コードを付加してもよい。
【００５６】
（特典照会サーバの概略構成）
図９は、特典照会サーバ５の概略構成の一例を示す図である。
【００５７】
特典照会サーバ５は、インターネット８を介して店舗端末４から送信されるタグＩＤと、電子決済ＩＤと、店舗ＩＤとを受信する。電子決済ＩＤと店舗ＩＤを使用して、特典ファイルを検索し、店舗において適用される特典を示す特典ＩＤを判定する。また、タグＩＤで電子パスデータベース５２１を検索し、タグＩＤの有効性を判定する。特典通知サーバ７は店舗で適用される特典を示す特典ＩＤと、タグＩＤの有効性とを店舗端末４に送信する。以上のような機能を実現するために、特典照会サーバ５は、特典照会サーバ通信部５１と、特典照会サーバ記憶部５２と、特典照会サーバ処理部５３とを備える。
【００５８】
特典照会サーバ通信部５１は、特典照会サーバ５をインターネット８に接続するための通信インターフェース回路を有する。特典照会サーバ通信部５１は、特典照会サーバ５と、店舗端末４及び各サーバ間の送受信を行う。
【００５９】
特典照会サーバ記憶部５２は、例えば、半導体メモリ、磁気ディスク装置及び光ディスク装置の内の少なくとも一つを有する。特典照会サーバ記憶部５２は、特典照会サーバ処理部５３による処理に用いられるドライバプログラム、オペレーティングシステムプログラム、アプリケーションプログラム、データ等を記憶する。例えば、特典照会サーバ記憶部５２は、ドライバプログラムとして、特典照会サーバ通信部５１を制御する通信デバイスドライバプログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いて特典照会サーバ記憶部５２にインストールされてもよい。また、プログラムサーバ等からダウンロードしてインストールしてもよい。
【００６０】
特典照会サーバ記憶部５２は、データとして、電子パスデータベース５２１、特典ファイル５２２等を記憶する。電子パスデータベース５２１には、提供されるサービスに対する対価を、ポストペイ式電子マネーを使って電子決済で支払うユーザを識別する電子決済ＩＤと特典通知システム１からサービスが提供されるユーザを識別するタグＩＤが登録されている。さらにユーザのタグＩＤが信頼できるか、すなわち有効であるかを示す信用情報が登録されている。電子パスデータベース５２１は、決済サーバにあるマスター電子パスデータベース６２１に基づき更新される。特典ファイル５２２は、電子決済ＩＤごとに適用される店舗を示す店舗ＩＤと、付与されている特典を示す特典ＩＤが登録されている。
【００６１】
本実施形態でいうファイルとはデータベースの形式の一例であり、データがサーバ内にプールしているような形式であってもよい。
【００６２】
特典照会サーバ処理部５３は、一又は複数個のプロセッサ及びその周辺回路を備える。特典照会サーバ処理部５３は、特典照会サーバ５の全体的な動作を統括的に制御するものであり、例えば、ＣＰＵである。特典照会サーバ処理部５３は、特典照会サーバ５の各種処理が特典照会サーバ記憶部５２に記憶されているプログラム等に基づいて適切な手順で実行されるように、特典照会サーバ通信部５１等の動作を制御する。特典照会サーバ処理部５３は、特典照会サーバ記憶部５２に記憶されているオペレーティングシステムプログラムやドライバプログラム、アプリケーションプログラム等のプログラムに基づいて処理を実行する。また、特典照会サーバ処理部５３は、アプリケーションプログラム等の複数のプログラムを並列に実行することができる。
【００６３】
特典照会サーバ処理部５３は、特典判定部５３１と、信用判定部５３２と、照会結果送信部５３３と、電子パスデータベース更新部５３４と、特典ファイル更新部５３５とを有する。特典照会サーバ処理部５３が有するこれらの各部は、特典照会サーバ処理部５３が有するプロセッサ上で実行されるプログラムによって実装される機能モジュールである。あるいは、特典照会サーバ処理部５３が有するこれらの各部は、独立した集積回路、マイクロプロセッサ、又はファームウェアとして特典照会サーバ５に実装されてもよい。
【００６４】
図１０は、特典照会サーバ５で利用される電子パスデータベース５２１と特典ファイル５２２の概略構成の一例を示す図である。図１０（ａ）は、電子パスデータベース５２１の概略構成の一例である。電子パスデータベース５２１には、電子決済ＩＤとタグＩＤが登録されている。さらにユーザのタグＩＤが信頼できるか、すなわち有効であるかを示す信用情報が登録されている。この電子パスデータベース５２１は、１日に１度等の所定の周期で決済サーバ６から更新情報が送信される。次に、特典照会サーバ５の電子パスデータベース更新部５３４は、電子パスデータベース５２１を最新の状態に更新する。
【００６５】
図１０（ｂ）は、特典ファイル５２２の概略構成の一例を示す図である。特典ファイル５２２は、電子決済ＩＤごとに適用される店舗を示す店舗ＩＤと、付与されている特典を示す特典ＩＤが登録されている。１つの電子決済ＩＤに対し１つ又は複数の店舗ＩＤと特典ＩＤがそれぞれ登録可能である。また、特典ファイル５２２は、所定の周期で後述の特典通知サーバ７から、所定の周期、例えば、１日に１度の周期で送信される。この特典通知サーバ７から送信される特典ファイル５２２は、電子決済ＩＤではなくタグＩＤに関連して作られているので、特典照会サーバ５の特典ファイル更新部５３５は、電子パスデータベース５２１を使用して、タグＩＤから電子決済ＩＤへの変換を行う。なお、電子パスデータベースや特典ファイルの更新は、周期的でなくリアルアップデートでもよい。特典照会サーバ５の照会結果送信部５３３は、電子パスデータベースから検索したタグＩＤの信用情報と、特典ファイルから検索した特典ＩＤを店舗端末４に返信する。なお、特典ＩＤに特典構成コードが関連付けられていてもよい。特典構成コードは、石油元売り会社等が行う販売施策、例えば、「入会御礼と春の感謝祭」のようなキャンペーンを示すものである。異なる販売施策であっても、特典内容が同じ（同じ商品を同じ金額で値引く等）であれば、同じ特典ＩＤが使用される場合がある。この際に、特典通知サーバ７が、どの販売施策が使われたかを把握するために。特典ＩＤに、特典が付与された理由を示す特典構成コードを付加してもよい。特典構成コードは特典ＩＤとともに、特典照会サーバ５から店舗端末４等を経由して特典付与サーバ７に送られる。特典構成コードごとに特典利用状況が把握でき、販売施策の効果を評価することができる。
【００６６】
（決済サーバの概略構成）
図１１は、決済サーバ６の概略構成の一例を示す図である。
【００６７】
決済サーバ６は、電子決済ＩＤとタグＩＤとの対応関係を有するマスター電子パスデータベース６２１を記憶する。決済サーバ６は、インターネット８を介して店舗端末４から送信される電子決済ＩＤ、店舗ＩＤ、特典ＩＤ、売上情報等を受信する。決済サーバ６は、電子決済ＩＤを使用して、マスター電子パスデータベース６２１を検索し、タグＩＤを検出する。検出されたタグＩＤは、受信した店舗ＩＤ、特典ＩＤ、売上情報等とともに、特典通知サーバ７に送信される。また、ポストペイ式電子マネーサービスを提供する、例えばクレジット会社の管理サーバと決済サーバ間で、クレジット決済処理が行われる。以上のような機能を実現するために、決済サーバ６は、決済サーバ通信部６１と、決済サーバ記憶部６２と、決済サーバ処理部６３とを備える。
【００６８】
決済サーバ通信部６１は、決済サーバ６をインターネット８に接続するための通信インターフェース回路を有する。決済サーバ通信部６１は、決済サーバ６と、店舗端末４及び各サーバ間の送受信を行う。
【００６９】
決済サーバ記憶部６２は、例えば、半導体メモリ、磁気ディスク装置及び光ディスク装置の内の少なくとも一つを有する。決済サーバ記憶部６２は、決済サーバ処理部６３による処理に用いられるドライバプログラム、オペレーティングシステムプログラム、アプリケーションプログラム、データ等を記憶する。例えば、決済サーバ記憶部６２は、ドライバプログラムとして、決済サーバ通信部６１を制御する通信デバイスドライバプログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いて決済サーバ記憶部６２にインストールされてもよい。また、プログラムサーバ等からダウンロードしてインストールしてもよい。
【００７０】
決済サーバ記憶部６２は、データとして、マスター電子パスデータベース６２１等を記憶する。マスター電子パスデータベース６２１には、電子決済ＩＤと、タグＩＤと、タグＩＤが信頼できるか、すなわち有効であるかを示す信用情報が登録されている。
【００７１】
決済サーバ処理部６３は、一又は複数個のプロセッサ及びその周辺回路を備える。決済サーバ処理部６３は、決済サーバ６の全体的な動作を統括的に制御するものであり、例えば、ＣＰＵである。決済サーバ処理部６３は、決済サーバ６の各種処理が決済サーバ記憶部６２に記憶されているプログラム等に基づいて適切な手順で実行されるように、決済サーバ通信部６１等の動作を制御する。決済サーバ処理部６３は、決済サーバ記憶部６２に記憶されているオペレーティングシステムプログラムやドライバプログラム、アプリケーションプログラム等のプログラムに基づいて処理を実行する。また、決済サーバ処理部６３は、アプリケーションプログラム等の複数のプログラムを並列に実行することができる。
【００７２】
決済サーバ処理部６３は、ＩＤ変換部６３１と、転送処理部６３２と、マスター電子パスデータベース更新部６３３と、マスター電子パスデータベース更新送信部６３４と、クレジット決済処理部６３５を有する。決済サーバ処理部６３が有するこれらの各部は、決済サーバ処理部６３が有するプロセッサ上で実行されるプログラムによって実装される機能モジュールである。あるいは、決済サーバ処理部６３が有するこれらの各部は、独立した集積回路、マイクロプロセッサ、又はファームウェアとして決済サーバ６に実装されてもよい。
【００７３】
ＩＤ変換部６３１は、店舗端末４から送信された電子決済ＩＤをタグＩＤに変換する。転送処理部６３２は、店舗端末４から送信された電子決済ＩＤ、店舗ＩＤ、特典ＩＤ、売上情報のデータを、タグＩＤ、店舗ＩＤ、特典ＩＤ、売上情報に変換し特典通知サーバに転送する。決済サーバ処理部６３のマスター電子パスデータベース更新部６３３は、例えば、ガソリンスタンドの情報処理端末からの会員メンテナンス依頼により、マスター電子パスデータベース６２１のメンテナンス処理をする。また、決済サーバ処理部６３のマスター電子パスデータベース更新部６３３は、例えば、タグＩＤの信用状況更新を行う。マスター電子パスデータベース更新送信部６３４は、マスター電子パスデータベース６２１の更新情報を特典照会サーバ５に送信する。クレジット決済処理部６３５は、ポストペイ式電子マネーサービスを提供する、例えばクレジット会社の管理サーバと決済サーバ間で、クレジット決済処理を行う。
（特典通知サーバの概略構成）
図１２は、特典通知サーバ７の構成の概略を示す図である。
【００７４】
特典通知サーバ７は、インターネット８を介して決済サーバ６から送信される店舗ＩＤ，タグＩＤ、特典ＩＤ及び売上情報等を受信する。タグＩＤを使用して、顧客データベースを検索し、ユーザの氏名、メールアドレス、携帯通信端末用専用アプリケーションの使用等の情報を取得する。また、購買データベースを検索し、受信した売上金額情報を使用して購買履歴を更新する。更新された購買履歴と特典付与テーブルを使用して、ポストペイ式電子マネーへの特典を決定する。付与された特典に対応する特典ＩＤと、タグＩＤと、店舗ＩＤとを含む特典ファイルが生成され、特典照会サーバ５に送信される。
【００７５】
特典通知サーバ７は、ユーザのガソリンステンドでの給油等による売上げに対し付与された特典、例えばポストペイ式電子マネーへの特典や割引クーポンに関する情報を、例えば、電子メールによりユーザの情報通信端末に送信する。送信先のメールアドレスは顧客データベースから取得される。
【００７６】
以上のような機能を実現するために、特典通知サーバ７は、特典通知サーバ通信部７１と、特典通知サーバ記憶部７２と、特典通知サーバ処理部７３とを備える。
【００７７】
特典通知サーバ通信部７１は、特典通知サーバ７をインターネット８に接続するための通信インターフェース回路を有する。特典通知サーバ通信部７１は、特典通知サーバ７６と、店舗端末４及び各サーバ間の送受信を行う。
【００７８】
特典通知サーバ記憶部７２は、例えば、半導体メモリ、磁気ディスク装置及び光ディスク装置の内の少なくとも一つを有する。特典通知サーバ記憶部７２は、特典通知サーバ処理部７３による処理に用いられるドライバプログラム、オペレーティングシステムプログラム、アプリケーションプログラム、データ等を記憶する。例えば、特典通知サーバ記憶部７２は、ドライバプログラムとして、特典通知サーバ通信部７１を制御する通信デバイスドライバプログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いて特典通知サーバ記憶部７２にインストールされてもよい。また、プログラムサーバ等からダウンロードしてインストールしてもよい。
【００７９】
特典通知サーバ記憶部７２は、データとして、顧客データベース７２１と、購買データベース７２２と、特典付与テーブル７２３と、特典通知パターン７２４等を記憶する。
【００８０】
顧客データベース７２１は、特典通知システム１からサービスが提供されるユーザを識別するタグＩＤに対して、ユーザの個人情報である氏名、住所、電話番号、電子メールアドレス等のユーザ個人情報が登録されている。購買データベース７２２は。購買日時、店舗ＩＤ、ユーザを識別するタグＩＤ，購入した商品又はサービスのＩＤ，数量、購入金額等が登録されている。特典付与テーブル７２３は、特典の適用期間（例えば、始期と終期で定義される）、適用店舗を示す店舗ＩＤ、適用される商品及びサービスに対応する商品及びサービスコード、商品又はサービスの購入金額累計に対して、特典（特典ＩＤが対応）を定義する。特典通知パターン７２４は、特典通知サーバ７からユーザに特典を通知するための特典通知のパターンが登録されている。
【００８１】
本実施形態でいうテーブルとはデータベースの形式の一例であり、データがサーバ内にプールしているような形式であってもよい。
【００８２】
特典通知サーバ処理部７３は、一又は複数個のプロセッサ及びその周辺回路を備える。特典通知サーバ処理部７３は、特典通知サーバ７の全体的な動作を統括的に制御するものであり、例えば、ＣＰＵである。特典通知サーバ処理部７３は、特典通知サーバ７の各種処理が特典通知サーバ記憶部７２に記憶されているプログラム等に基づいて適切な手順で実行されるように、特典通知サーバ通信部７１等の動作を制御する。特典通知サーバ処理部７３は、特典通知サーバ記憶部７２に記憶されているオペレーティングシステムプログラムやドライバプログラム、アプリケーションプログラム等のプログラムに基づいて処理を実行する。また、特典通知サーバ処理部７３は、アプリケーションプログラム等の複数のプログラムを並列に実行することができる。
【００８３】
特典通知サーバ処理部７３は、ユーザ検索部７３１と、購買データベース更新部７３２と、特典決定部７３３と、特典通知部７３４と、特典ファイル生成部７３５とを有する。更に、特典通知サーバ処理部７３は、プロモーション活動を評価するための特典効果分析部７３６を有してもよい。特典通知サーバ処理部７３が有するこれらの各部は、特典通知サーバ処理部７３が有するプロセッサ上で実行されるプログラムによって実装される機能モジュールである。あるいは、特典通知サーバ処理部７３が有するこれらの各部は、独立した集積回路、マイクロプロセッサ、又はファームウェアとして特典通知サーバ７に実装されてもよい。
【００８４】
ユーザ検索部７３１は、インターネット８を介して決済サーバ６から送信されたタグＩＤを使用して、顧客データベースを検索し、ユーザの氏名、メールアドレス、携帯通信端末用専用アプリケーションの使用等の情報を取得する。購買データベース更新部７３２は、購買データベースを検索し、受信した売上金額情報を使用して購買履歴を更新する。特典決定部７３３は、更新された購買履歴と特典付与テーブルを使用して、ポストペイ式電子マネーへの特典を決定する。特典通知部７３４は、ユーザのガソリンステンドでの給油等による売上げに対し付与された特典を、ユーザに通知するための、例えば、電子メールコンテンツを作成し、作成された特典通知を送信する。特典ファイル生成部７３５は、付与された特典に対応する特典ＩＤと、タグＩＤと、店舗ＩＤとを含む特典ファイルを生成し、生成された特典ファイルを特典照会サーバ５に送信する。
【００８５】
特典効果分析部７３６は、プロモーション活動を評価するため、例えば、購買データベース７２２のデータを、プロモーション活動の一環として付与される特典ＩＤごとで集計する。また、店舗ごとのプロモーション活動評価等も可能である。
【００８６】
図１３は、特典通知サーバ７で使用されるデータベースやテーブル等の一例を示す図である。
【００８７】
図１３（ａ）は、顧客データベース７２１の一例を示す図である。通常１つのタグＩＤに関連して対して１人のユーザが対応するが、複数の電子パス２を所持するユーザは複数のタグＩＤデータを有することもある。ユーザの個人情報である氏名、住所、電話番号、電子メールアドレス等のユーザ個人情報が登録されている。更に、ユーザが利用指定した１つ又は複数のガソリンスタンドの店舗ＩＤや、ユーザの情報通信端末専用アプリケーションソフトウェアの使用の有無と使用している場合のユーザ個人用のホームページのＵＲＬ等が登録されている。会員情報更新サーバ（図示せず）等からの会員情報の更新情報により顧客データベースは更新される。
【００８８】
図１３（ｂ）は購買データベース７２２の一例を示す図である。購買日時、店舗ＩＤ、ユーザに関連するタグＩＤ，購入した商品又はサービスのＩＤ，数量、購入金額等が登録されており、店舗端末４から送信される売上情報等により特典通知サーバ記憶部７２の購買データベース７２２は更新される。
【００８９】
図１３（ｃ）は、特典付与テーブル７２３の一例を示す図である。適用期間（例えば、始期と終期で定義される）内の、適用店舗に対応する店舗ＩＤ、適用される商品及びサービスに対応する商品及びサービスＩＤ、商品又はサービスの購入金額累計に対して、特典（特典ＩＤが対応）を定義する。あるいは、購入金額の一律１％分の金額に対応する特典ポイントを特典とするテーブルも定義することが可能であり、多様な特典の付与方式が特典付与テーブルを使用して定義できる。適用期間を定義できることにより、例えば、春のキャンペーン等、特色あるプロモーション活動をすることができる。
【００９０】
（第１実施形態に係る特典通知システムから通知される電子メールの一例）
図１４は、特典通知サーバ７からユーザに送信される電子メールのコンテンツの一例を示す図である。
【００９１】
図１４（ａ）に示す電子メールのコンテンツには、まず、ハイオクガソリンの購入金額６，４００円（１４１）に対し特典（１４２）が表示される。更に、次回のガソリンスタンド利用時に使用できるクーポン券を表示するＵＲＬ（１４３）を表示してもよい。電子メールを受信したスマートフォン等の画面上で、ユーザが電子メールの本文内のＵＲＬをクリックすると、ブラウザが起動し、図１４（ｂ）に示すようなタイヤの購入に利用できるクーポン券とそれに対応するＱＲコード（登録商標）（１４４）等が表示される。この通知により、ユーザへ付与された特典が利用可能なガソリンスタンドの利用が促進されることとなる。
【００９２】
特典が付与されると、通常、特典通知サーバ７から前述の電子メールにより直ちに付与された特典が通知される。更に、特典通知サーバ７は、所定の期間、例えば１月間、購入がない場合等には、ガソリンスタンドへの来店をユーザに促すため、再度電子メールを送信してもよい。
【００９３】
特典通知サーバ７は、電子メールに代えて又は電子メールとともに、ユーザの携帯通信端末等の専用アプリケーションプログラムを介して、ユーザ個別に特典付与情報を通知してもよい。専用アプリケーションプログラムは、アップルストアやグーグルプレイ等から入手可能で、ユーザの操作により携帯通信端末等にインストール可能なプログラムである。特典が付与されると、特典通知部７３４は、ユーザ個別の専用アプリケーションプログラムに関連するホームページに記載の特典を更新する。更に、このアプリケーションプログラムをプッシュ送信の受信が可能なものとしてもよく、特典通知部７３４は、ユーザ個別の専用アプリケーションプログラムに、プッシュ送信により特典付与を通知する。
【００９４】
特典通知サーバ７は、サーバ装置１台により実施可能なだけでなく、複数台のサーバ装置からなるサーバシステムによる実施形態も実施可能である。
【００９５】
（第１実施形態に係る特典通知システムの特典通知動作シーケンスの一例）
図１５は、特典通知システム１の特典通知動作シーケンスの一例を示す図である。
【００９６】
この動作シーケンスは、予め店舗端末記憶部４３、特典照会サーバ記憶部５２、決済サーバ記憶部６２及び特典通知サーバ記憶部７２に記憶されているプログラムに基づいて実行される。プログラムの実行は、主に店舗端末処理部４４、特典照会サーバ処理部５３、決済サーバ処理部６３及び特典通知サーバ処理部７３により、店舗端末４、特典照会サーバ５、決済サーバ６、及び特典通知サーバ７の各要素と協働して実行される。
【００９７】
図１５において、まず、店舗端末４のユーザＩＤ取得部４４１は、給油装置３の非接触型リーダ／ライタ３１を介して提示されたユーザの電子パス２からタグＩＤと電子決済ＩＤを取得する（Ｓ１０１）。店舗端末４の特典ＩＤ取得部４４２は、取得したタグＩＤと電子決済ＩＤと、店舗端末４内に記憶される店舗ＩＤとを特典照会サーバ５に送信する（Ｓ１０２）。
【００９８】
特典照会サーバ５の特典判定部５３１は、受信した電子決済ＩＤと店舗ＩＤを使用して、特典ファイルを検索し、店舗において適用される特典を判定する（Ｓ１０３）。また、特典照会サーバ５の信用判定部５３２は、タグＩＤで電子パスデータベースを検索し、タグＩＤの信用（有効か無効か）を判定する（Ｓ１０４）。特典照会サーバ５の照会結果送信部５３３は、付与されている特典を示す特典ＩＤとタグＩＤの信用情報を店舗端末４に送信する（Ｓ１０５）。次に、店舗端末４の売上金額決定部４４４は、特典照会サーバ５から取得した特典ＩＤと、店舗端末記憶部４３に記憶されている特典変換テーブル４３４を使用して、請求金額から割引をして売上金額を計算する（Ｓ１０６）。次に、店舗端末４の履歴書込処理部４４７は、給油装置３を介して電子パス２のカスタマイズ記憶部に販売履歴を書き込む（Ｓ１０７）。販売履歴書込み処理が終了すると、店舗端末４の端末送信部４４６は、店舗端末４に記憶されている店舗ＩＤと、取得した電子決済ＩＤと特典ＩＤ、及び売上金額を含む売上情報を決済サーバ６に送信する（Ｓ１０８）。
【００９９】
決済サーバ６のＩＤ変換部６３１は、電子決済ＩＤを使用して、マスター電子パスデータベース６２１を検索し、タグＩＤを検出する（Ｓ１０９）。転送処理部６３２は、検出されたタグＩＤと、受信した店舗ＩＤと、特典ＩＤと、売上情報とを、特典通知サーバ７に送信する（Ｓ１１０）。
【０１００】
特典通知サーバ７のユーザ検索部７３１は、受信したタグＩＤを使用して顧客データベースを検索し、ユーザの氏名、特典通知方法等ユーザ情報を取得する（Ｓ１１１）。特典通知サーバ７の購買データベース更新部７３２は、ユーザ検索部７３１が取得したユーザ情報と売上情報を使用して購買データベースを検索して更新する（Ｓ１１２）。特典通知サーバ７の特典決定部７３３は、更新された購入データベースと特典付与テーブルを使用して、付与する特典を決定する（Ｓ１１３）。次に、特典通知サーバ７の特典通知部７３４は、ユーザに付与された特典を通知する特典通知を作成し、例えば、電子メール等を介してユーザに通知する（Ｓ１１４）。
【０１０１】
（第１実施形態に係る特典通知システムの変形例１）
図１６は、第１実施形態に係る特典通知システム１の第１の変形例である特典通知システム２０１の概略構成を示す図である。図１７は、本変形例１の電子パス２０２を示す図である。
【０１０２】
特典通知システム１において電子パス２は、タグＩＤと電子決済ＩＤとを記憶していたが、本変形例の特典通知システム２０１では、電子パス２０２にタグＩＤのみが記録されている。
【０１０３】
（変形例１に係る特典通知システムの特典通知動作シーケンスの一例）
図１８は、特典通知システム２０１の特典通知動作シーケンスの一例を示す図である。
【０１０４】
この動作シーケンスは、予め店舗端末記憶部４３、特典照会サーバ記憶部５２、決済サーバ記憶部６２及び特典通知サーバ記憶部７２に記憶されているプログラムに基づいて実行される。プログラムの実行は、主に店舗端末処理部４４、特典照会サーバ処理部５３、決済サーバ処理部６３及び特典通知サーバ処理部７３により、店舗端末４、特典照会サーバ５、決済サーバ６、及び特典通知サーバ７の各要素と協働して実行される。
【０１０５】
図１８において、まず、店舗端末４のユーザＩＤ取得部４４１は、給油装置３の非接触型リーダ／ライタ３１を介して提示されたユーザの電子パス２０２からタグＩＤを取得する（Ｓ２０１）。店舗端末４の特典ＩＤ取得部４４２は、取得したタグＩＤと、店舗端末４内に記憶される店舗ＩＤとを特典照会サーバ５に送信する（Ｓ２０２）。
【０１０６】
特典照会サーバ５の特典判定部５３１は、受信したタグＩＤと店舗ＩＤを使用して、特典ファイルを検索し、店舗において適用される特典ＩＤを判定する（Ｓ２０３）。なお、特典ファイルは、タグＩＤに対応した特典ＩＤが登録されている。また、特典照会サーバ５の信用判定部５３２は、タグＩＤで電子パスデータベースを検索し、タグＩＤの信用を判定する（Ｓ２０４）。特典照会サーバ５の照会結果送信部５３３は、付与されている特典を示す特典ＩＤと、タグＩＤの信用情報を店舗端末４に送信する（Ｓ２０５）。次に、店舗端末４の売上金額決定部４４４は、特典照会サーバ５から取得した特典ＩＤと、店舗端末記憶部４３に記憶されている特典変換テーブル４３４を使用して、請求金額から割引をして売上金額を計算する（Ｓ２０６）。次に、店舗端末４の端末送信部４４６は、店舗端末４に記憶されている店舗ＩＤと、取得したタグＩＤと特典ＩＤと売上金額を含む売上情報を決済サーバ６に送信する（Ｓ２０７）。
【０１０７】
決済サーバ６のＩＤ変換部６３１の処理はスキップされる。転送処理部６３２は、タグＩＤと、受信した店舗ＩＤと、特典ＩＤと、売上情報とを、特典通知サーバ７に送信する（Ｓ２０８）。決済サーバ６を経由して、タグＩＤと、店舗ＩＤと、特典ＩＤと、売上情報とが、特典付与サーバに送られることにより、タグＩＤに紐付けられたクレジットカードで、クレジットカード会社の管理サーバと決済処理を進めることができる。また、特典通知システム１と同一の処理ルートとすることにより、特典通知システム１と特典通知システム２０１の整合性をとることができる。
【０１０８】
特典通知サーバ７における処理は、特典通知システム１と同じであり、省略する。
【０１０９】
（第１実施形態に係る特典通知システムの変形例２）
図１９は、第１実施形態に係る特典通知システム１の第２の変形例である特典通知システム３０１の概略構成を示す図である。
【０１１０】
第１実施形態に係る特典通知システム１において、ユーザは、電子パス２を使い支払いをするが、本変形例２の特典通知システム３０１では、電子パス２ではなく、メンバーカード３０２を使い支払いをする。メンバーカード３０２にはタグＩＤに代えてメンバーＩＤ３０２１が、例えば、磁気記憶等で記憶されている。また、メンバーＩＤ３０２１は、ユーザが使用するクレジットカード番号でもよい。今までのメンバーカード利用者にも特典を適用し、更なるユーザサービスを提供することができる。
【０１１１】
図２０は、給油装置３０３の構成概略を示す図である。給油装置３０３は、メンバーカード３０２を読み取るためのカードリーダ３９を非接触リーダ／ライタ３１の代わりに有する。更に、給油装置処理部３８は、カードリーダ３９で読み取った情報を店舗端末４に送るカード処理部３８６を電子パス処理部３８１の代わりに有する。
【０１１２】
（変形例２に係る特典通知システムの特典通知動作シーケンスの一例）
図２１は、特典通知システム３０１の特典通知動作シーケンスの一例を示す図である。
【０１１３】
この動作シーケンスは、予め店舗端末記憶部４３、特典照会サーバ記憶部５２、決済サーバ記憶部６２及び特典通知サーバ記憶部７２に記憶されているプログラムに基づいて実行される。プログラムの実行は、主に店舗端末処理部４４、特典照会サーバ処理部５３、決済サーバ処理部６３及び特典通知サーバ処理部７３により、店舗端末４、特典照会サーバ５、決済サーバ６、及び特典通知サーバ７の各要素と協働して実行される。
【０１１４】
図２１において、まず、店舗端末４のユーザＩＤ取得部４４１は、給油装置３０３のカードリーダ３９を介して提示されたユーザのメンバーカード３０２からメンバーＩＤを取得する（Ｓ３０１）。店舗端末４の特典ＩＤ取得部４４２は、取得したメンバーＩＤと、店舗端末４内に記憶される店舗ＩＤとを特典照会サーバ５に送信する（Ｓ３０２）。
【０１１５】
特典照会サーバ５の特典判定部５３１は、受信したメンバーＩＤと店舗ＩＤを使用して、特典ファイルを検索し、店舗において適用される特典を判定する（Ｓ３０３）。なお、特典ファイルは、第１実施形態での特典ファイルとは異なり、メンバーＩＤに対応した特典ＩＤが登録されている。また、特典照会サーバ５の信用判定部５３２は、メンバーＩＤで電子パスデータベースを検索し、メンバーＩＤの有効性を判定する（Ｓ３０４）。特典照会サーバ５の照会結果送信部５３３は、付与されている特典を示す特典ＩＤと、メンバーＩＤの信用情報を店舗端末４に送信する（Ｓ３０５）。次に、店舗端末４の売上金額決定部４４４は、特典照会サーバ５から取得した特典ＩＤと、店舗端末記憶部４３に記憶されている特典変換テーブル４３４を使用して、請求金額から割引をして売上金額を計算する（Ｓ３０６）。次に、店舗端末４の端末送信部４４６は、店舗端末４に記憶されている店舗ＩＤと、取得したメンバーＩＤと特典ＩＤ、及び売上金額を含む売上情報を決済サーバ６に送信する（Ｓ３０７）。
【０１１６】
決済サーバ６のＩＤ変換部６３１は、メンバーＩＤをタグＩＤに相当する変換ＩＤに変換する（Ｓ３０８）。次の特典通知サーバで利用するためである。転送処理部６３２は、変換ＩＤと、受信した店舗ＩＤと、売上情報と、特典ＩＤとを、特典通知サーバ７に送信する（Ｓ３０９）。メンバーＩＤと、店舗ＩＤと、売上情報と、特典ＩＤとを取得することにより、決済サーバ６は、メンバーＩＤに紐付けられたクレジットカードで、クレジットカード会社の管理サーバと決済処理を進めることができる。また、特典通知システム１と同一の処理ルートとすることにより、特典通知システム１と特典通知システム３０１の整合性をとることができる。
【０１１７】
特典通知サーバ７のユーザ検索部７３１は、受信した変換ＩＤを使用して顧客データベースを検索し、ユーザの氏名、特典通知方法等ユーザ情報を取得する（Ｓ３１０）。以降の処理は、第１実施形態の動作シーケンスＳ１１２以降の処理と同じなので省略する。
【０１１８】
（第１実施形態に係る特典通知システムの変形例３）
特典通知システム１において、付与される特典は使用回数が制限されていることがある。この場合、ユーザは、ガソリンの購入量がわずかであるとき、例えば、５リットル程度のときは、特典を使用せず、次回の給油時に特典を使いたいケースが想定される。このため、給油装置３の表示部３３に表示し、特典を使用するかどうかを、ユーザに選択させてもよい。よりユーザフレンドリーなサービスを提供することができる。
【０１１９】
図２２は、特典を使用するかどうかをユーザに選択させる機能概略の一例を示すフローチャートを示す図である。まず、店舗端末４の特典ＩＤ取得部４４２は、特典照会サーバ５から利用可能な特典ＩＤを取得する（ＳＴ１０１）。更に、特典ＩＤ取得部４４２は、利用可能な特典があるかどうかを判定する（ＳＴ１０２）。利用可能な特典がある（ＳＴ１０２−ＹＥＳ）場合は、利用可能な特典内容をユーザに示すため、画像出力部４４８は、特典変換テーブル４３２を使用して給油装置３の表示部３３に特典を利用するかどうかを表示する（ＳＴ１０３）。利用可能な特典がない（ＳＴ１０２−ＮＯ）場合は、処理を終了する。次に、売上金額決定部４４４は、給油装置３の入力部３４から、特典利用に関するユーザの入力があると特典を利用するか否かを判定する（ＳＴ１０４）。特典を利用する（ＳＴ１０４−ＹＥＳ）の場合は、売上金額決定部４４４は、特典を利用して購入金額を割り引く金額計算をする（ＳＴ１０５）。特典を利用しない場合（ＳＴ１０４−ＮＯ）は、売上金額決定部４４４は、通常の金額を計算する（ＳＴ１０６）。更に、端末送信部４４６は、特典を使用しなかったことを示す特典ＩＤを設定し、決済サーバ６を経由して特典通知サーバ７に送信して（ＳＴ１０７）、処理を終了する。特典を使用しなかったことを示す特典ＩＤが、端末送信部４４６により特典通知サーバ７に送られ、購買データベースに反映されるので、特典は消滅しない。
【０１２０】
更に、図２３は、利用できる特典が複数あった場合の処理を示すフローチャートの一例である。すなわち、店舗端末４の特典ＩＤ取得部４４６が特典照会サーバ５から取得した特典が複数ある場合である。例えば、ユーザの利用できる３種類の特典Ａ，Ｂ，Ｃがあるとする。特典Ａは、レギュラーガソリン３０リットルまで購入するとき１％の割引をする。特典Ｂは、レギュラーガソリン３０〜５０リットルまで購入するとき２％の割引をする。特典Ｃは５０リットルを超える購入のとき４％の割引をする。更に、ユーザは、購入量が少なく今回は特典を利用しないことを選択できるとする。したがって、ユーザは、３種類の特典選択枝と「特典を利用しない」選択肢の計４つを選択できるとする。まず、店舗端末４の特典ＩＤ取得部４４２は、特典照会サーバ５から利用可能な特典ＩＤを取得する（ＳＴ２０１）。更に、特典ＩＤ取得部４４２は、利用可能な特典があるかどうかを判定する（ＳＴ２０２）。利用可能な特典がある（ＳＴ２０２−ＹＥＳ）場合は、利用可能な特典内容をユーザに示すため、画像出力部４４８は、特典変換テーブル４３２を使用して給油装置３の表示部３３に特典を利用するかどうかを表示する（ＳＴ２０３）。本例では、特典Ａ、Ｂ、Ｃ、及び「特典を利用しない」の４つの選択肢が表示される。利用可能な特典がない（ＳＴ２０２−ＮＯ）場合は、処理を終了する。次に、売上金額決定部４４４は、給油装置３の入力部３４からの特典利用に関するユーザの入力により、特典を利用するか否かを判定する（ＳＴ２０４）。特典を利用する（ＳＴ２０４−ＹＥＳ）の場合は、更に、特典Ａを利用するか否かを判定する（ＳＴ２０５）。特典Ａを利用する（ＳＴ２０５−ＹＥＳ）場合は、特典Ａに対応する１％割引の金額計算をする（ＳＴ２０６）。特典Ａを利用しない（ＳＴ２０５−ＮＯ）場合は、更に、特典Ｂを利用するか否かを判定する（ＳＴ２０７）。特典Ｂを利用する（ＳＴ２０７−ＹＥＳ）場合は、特典Ｂに対応する２％割引の金額計算をする（ＳＴ２０８）。特典Ｂを利用しない（ＳＴ２０７−ＮＯ）場合は、特典Ｃに対応する４％割引の金額計算をする（ＳＴ２０９）。特典を利用しない場合（ＳＴ２０４−ＮＯ）は、売上金額決定部４４４は、通常の金額を計算する（ＳＴ２１０）。更に、端末送信部４４６は、特典を使用しなかったことを示す特典ＩＤを設定し、決済サーバ６を経由して特典通知サーバ７に送信して（ＳＴ２１１）、処理を終了する。
【０１２１】
（第２実施形態に係る特典通知システムによる処理の概要）
第１実施形態に係る特典通知システム１は、ユーザがガソリンスタンド等のサービスステーション（ＳＳ）を含む店舗で給油等したときの対価を、ポストペイ式電子マネーにより支払った実施形態であった。第２実施形態に係る特典通知システム４０１では、ユーザが給油等したときの対価を、プリペイド式電子マネーにより支払う。ガソリンスタンドの売上金額に対応して、事後にプリペイド式電子マネーに特典を付与し、その特典付与内容をユーザに通知する。通常、特典は、電子マネーに換算できる特典ポイントである。第２実施形態に係る特典通知システム４０１は、第１実施形態に係る特典通知システム１のような割引適用はないが、換金性のある特典ポイントを付与された方がよいとするユーザも存在する。プリペイド式電子マネーに付与した特典の内容をユーザに通知することで、特典ポイントを取得しようというユーザの意識を高め、ユーザのガソリンスタンドへの来店頻度を高める効果を生む。
【０１２２】
プリペイド式電子マネーとは、記憶メディア（本実施形態での電子パスに相当する）に前もって料金をチャージしておき、買い物をすると記憶メディアにチャージした金額の中から使った分だけが引かれるものをいう。
【０１２３】
（第２実施形態に係る特典通知システムの概略構成）
図２４は、第２実施形態に係る特典通知システム４０１の概略構成の一例を示す図である。
【０１２４】
本実施形態に係る特典通知システム４０１は、ガソリンスタンドで給油や洗車サービスの対価をプリペイド式電子マネーで支払ったユーザに特典の付与を通知するシステムである。ガソリンスタンドを利用するユーザは、近距離無線通信（Near Field Communication、ＮＦＣ）を介してプリペイド式電子マネーでの支払いをするための電子パス４０２を所持している。ガソリンスタンドには、ユーザが所持する電子パス２との近接無線通信（ＮＦＣ）インターフェースを有する非接触型カードリーダ／ライタ３１を内蔵する給油装置３が設置されている。給油装置３は、無線又は有線の第１通信ネットワーク９を介して、ガソリンスタンドの店内に設置される店舗端末４に接続されている。更に、特典通知システム１は、決済サーバ６と、特典通知サーバ７を有する。店舗端末４と、決済サーバ６と、特典通知サーバ４０７とは、インターネット８等の第２通信ネットワークを介して相互に接続される。
【０１２５】
（電子パスの概略構成）
図２５は、第２実施形態に係る特典通知システム４０１で使用される電子パス４０２を示す図である。第１実施形態における電子パス２は、電子決済のための電子決済ＩＤとしてポストペイ式電子マネーに関連する電子決済ＩＤを記憶していた。電子パス４０２は、電子パス記憶部２３に、プリペイド式電子マネーで支払うための電子決済ＩＤ２３４を記憶している。
【０１２６】
（特典通知サーバの概略構成）
図２６は、第２実施形態に係る特典通知システム４０１で使用される特典通知サーバ４０７を示す図である。特典通知サーバ４０７は、特典通知サーバ処理部７３に、特典送信部７３７を有する。特典送信部７３７は、付与された特典を、プリペイド式電子マネーの管理会社が運営するサーバ（図示せず）に送信する。この結果、プリペイド式電子マネーに、例えば、付与された特典に対応する特典ポイントがたまる。
【０１２７】
（第２実施形態に係る特典通知システムの特典通知動作シーケンスの一例）
図２２は、特典通知システム４０１の特典通知動作シーケンスの一例を示す図である。
【０１２８】
この動作シーケンスは、予め店舗端末記憶部４３、決済サーバ記憶部６２及び特典通知サーバ記憶部７２に記憶されているプログラムに基づいて実行される。プログラムの実行は、主に店舗端末処理部４４、決済サーバ処理部６３及び特典通知サーバ処理部７３により、店舗端末４、特典照会サーバ５、決済サーバ６、及び特典通知サーバ４０７の各要素と協働して実行される。
【０１２９】
図２６において、まず、店舗端末４のユーザＩＤ取得部４４１は、給油装置３の非接触型リーダ／ライタを介して、提示されたユーザの電子パス４０２からタグＩＤと、プリペイド式電子マネーに関連する電子決済ＩＤとを取得する（Ｓ４０１）。売上金額を計算する（Ｓ４０２）。次に、店舗端末４の端末送信部４４６は、店舗端末４に記憶されている店舗ＩＤと、取得したタグＩＤと、電子決済ＩＤと、売上金額を含む売上情報を決済サーバ６に送信する（Ｓ４０３）。
【０１３０】
決済サーバ６の転送処理部６３２は、受信した店舗ＩＤと、タグＩＤと、電子決済ＩＤと、売上情報とを、特典通知サーバ７に送信する（Ｓ４０４）。特典通知システム１と同一の処理ルートとすることにより、特典通知システム１と特典通知システム３０１の整合性をとることができる。なお、決済サーバ６を経由せず、特典通知サーバ４０７に送信してもよい。
【０１３１】
特典通知サーバ４０７のユーザ検索部７３１は、受信したタグＩＤを使用して顧客データベース７２１を検索し、ユーザの氏名、特典通知方法等ユーザ情報を取得する（Ｓ４０５）。特典通知サーバ７の購買データベース更新部７３２は、ユーザ検索部７３１が取得したユーザ情報と売上情報を使用して購買データベース７２２を検索して更新する（Ｓ４０６）。特典通知サーバ７の特典決定部７３３は、更新された購買データベース７２２と特典付与テーブル７２３を使用して、付与する特典を決定する（Ｓ４０７）。付与された特典は、特典送信部７３７により、プリペイド式電子マネーを運営する会社のサーバに送信され（Ｓ４０８）、電子決済ＩＤに関連するプリペイド式電子マネーの特典ポイントが付く。次に、特典通知サーバ７の特典通知部７３４は、ユーザに付与された特典を通知する特典通知を作成して、作成された特典通知は、例えば、電子メール介して、先に検索したユーザ情報に基づいてユーザに送信する（Ｓ４１０）。
【０１３２】
なお、以上の実施形態ではユーザの電子パス２やカードによる支払は給油装置３で行われるとしたが、非接触リーダ／ライタ等を備える店舗端末４で行われてもよい。
【０１３３】
当業者は、本発明の精神及び範囲から外れることなく、様々な変更、置換、及び修正をこれに加えることが可能であることを理解されたい。
【符号の説明】
【０１３４】
１、１０１、２０１、４０１    特典通知システム
２、２０２、４０２    電子パス
３、２０３    給油装置
３１    非接触型リーダ／ライタ
３９    カードリーダ
４    店舗端末
５    特典照会サーバ
６    決済サーバ
７、４０７    特典通知サーバ
３０２    メンバーカード
３０２１    メンバーＩＤ（第１ユーザＩＤ）
２３１    タグＩＤ（第１ユーザＩＤ）
２３２、２３４    電子決済ＩＤ（第２ユーザＩＤ）
３０２１    メンバーＩＤ（第１ユーザＩＤ
【図１】
2018124767.tif 000003
【図２】
2018124767.tif 000004
【図３】
2018124767.tif 000005
【図４】
2018124767.tif 000006
【図５】
2018124767.tif 000007
【図６】
2018124767.tif 000008
【図７】
2018124767.tif 000009
【図８】
2018124767.tif 000010
【図９】
2018124767.tif 000011
【図１０】
2018124767.tif 000012
【図１１】
2018124767.tif 000013
【図１２】
2018124767.tif 000014
【図１３】
2018124767.tif 000015
【図１４】
2018124767.tif 000016
【図１５】
2018124767.tif 000017
【図１６】
2018124767.tif 000018
【図１７】
2018124767.tif 000019
【図１８】
2018124767.tif 000020
【図１９】
2018124767.tif 000021
【図２０】
2018124767.tif 000022
【図２１】
2018124767.tif 000023
【図２２】
2018124767.tif 000024
【図２３】
2018124767.tif 000025
【図２４】
2018124767.tif 000026
【図２５】
2018124767.tif 000027
【図２６】
2018124767.tif 000028
【図２７】
2018124767.tif 000029